【手続補正書】
【提出日】平成27年1月9日(2015.1.9)
【手続補正１】
【補正対象書類名】特許請求の範囲
【補正対象項目名】全文
【補正方法】変更
【補正の内容】
【特許請求の範囲】
【請求項１】
埋め込み可能医療デバイスシステムを作動させる方法であって、
外部充電器内のコイルから発生された充電場を用いて埋め込み可能医療デバイスを充電する段階と、
前記外部充電器内の前記コイルから外部コントローラへのテレメトリのための第１の通信リンクを確立する段階と、
を含み、
充電する段階及び前記第１の通信リンクを確立する段階のための前記外部充電器内の前記コイルへのアクセスが、時間領域で多重化されている、
ことを特徴とする方法。
【請求項２】
前記第１の通信リンクを通じて前記外部充電器から前記外部コントローラに充電情報を送信する段階を更に含むことを特徴とする請求項１に記載の方法。
【請求項３】
前記外部コントローラのユーザインタフェースを通じて前記充電情報をユーザに伝達する段階を更に含むことを特徴とする請求項２に記載の方法。
【請求項４】
前記ユーザインタフェースは、グラフィックユーザインタフェースであることを特徴とする請求項３に記載の方法。
【請求項５】
前記充電情報は、前記外部充電器と前記埋め込み可能医療デバイスの間のアラインメントに関する情報、該埋め込み可能医療デバイスのバッテリのステータス、該外部充電器のバッテリのステータス、及び該外部充電器又は該埋め込み可能医療デバイスのいずれかの温度、のうちの１つ又はそれよりも多くを含むことを特徴とする請求項２に記載の方法。
【請求項６】
前記充電情報は、複数のデータ送信モードに従って送信されることを特徴とする請求項２に記載の方法。
【請求項７】
前記充電情報は、該充電情報が前記外部充電器から前記外部コントローラに送信される頻度を決定することを特徴とする請求項２に記載の方法。
【請求項８】
前記充電情報は、前記外部充電器が前記埋め込み可能医療デバイスと位置合わせされていない時に、より頻繁に送信されることを特徴とする請求項２に記載の方法。
【請求項９】
前記充電情報は、前記外部充電器と前記埋め込み可能医療デバイスの間のアラインメント情報を含むことを特徴とする請求項２に記載の方法。
【請求項１０】
前記外部コントローラ上のグラフィックユーザインタフェースを通じてアラインメント情報をユーザに表示する段階を更に含むことを特徴とする請求項９に記載の方法。
【請求項１１】
前記外部充電器と前記埋め込み可能医療デバイスの間に第２の通信リンクを確立する段階を更に含み、
充電する段階、前記第１の通信リンクを確立する段階、及び前記第２の通信リンクを確立する段階のための前記外部充電器内の前記コイルへのアクセスが、時間領域で多重化されている、
ことを特徴とする請求項１に記載の方法。
【請求項１２】
前記第１及び第２の通信リンクは、同じプロトコルに従って確立されることを特徴とする請求項１１に記載の方法。
【請求項１３】
前記第２の通信リンク上で前記埋め込み可能医療デバイスから充電情報を受信する段階と、
前記第１の通信リンクを通じて前記充電情報を前記外部充電器から前記外部コントローラに送信する段階と、
を更に含むことを特徴とする請求項１１に記載の方法。
【請求項１４】
前記外部コントローラと前記埋め込み可能医療デバイスは、プロトコルを通じて通信し、
前記第１の通信リンクは、前記プロトコルに従って確立される、
ことを特徴とする請求項１に記載の方法。
【請求項１５】
埋め込み可能医療デバイスと通信するための外部コントローラと、
コイルを含み、該コイルが、前記埋め込み可能医療デバイスにエネルギを供給するための充電場を発生させ、かつ第１の通信リンクを通じて前記外部コントローラと通信するように構成された外部充電器と、
を含み、
前記外部充電器は、前記コイルに結合された同調回路を更に含み、
前記同調回路は、前記充電場を発生させるための第１の周波数と第１の通信リンクを通じて前記外部コントローラと通信するための第２の周波数とに前記コイルを同調させるように構成されている、ことを特徴とする埋め込み可能医療デバイスシステム。
【請求項１６】
前記コイルは、第２の通信リンクを通じて前記埋め込み可能医療デバイスと通信するように更に構成され、
前記同調回路は、前記第２の通信リンクを通じて前記埋め込み可能医療デバイスと通信するための前記第２の周波数に前記コイルを同調させるように構成される、
ことを特徴とする請求項１５に記載のシステム。
【請求項１７】
前記外部充電器は、前記第１の通信リンクを通じて前記外部コントローラに充電情報を通信することを特徴とする請求項１５に記載のシステム。
【請求項１８】
前記外部コントローラは、前記充電情報をユーザに伝達するためのユーザインタフェースを含むことを特徴とする請求項１７に記載のシステム。
【請求項１９】
前記ユーザインタフェースは、グラフィックによるものであることを特徴とする請求項１８に記載のシステム。
【請求項２０】
前記充電情報は、前記埋め込み可能医療デバイスのバッテリレベルを含む、
ことを特徴とする請求項１９に記載のシステム。
【請求項２１】
前記第１の通信リンクは、前記埋め込み可能医療デバイスと通信するために前記外部コントローラによって使用されるプロトコルを使用することを特徴とする請求項１５に記載のシステム。
【請求項２２】
前記通信プロトコルは、周波数シフトキーイング（ＦＳＫ）プロトコルを含むことを特徴とする請求項２１に記載のシステム。
【手続補正２】
【補正対象書類名】明細書
【補正対象項目名】００１７
【補正方法】変更
【補正の内容】
【００１７】
‘６６３公報のシステムは、望ましい多様性を提供するが、本発明者は、いくつかの欠点に気付いている。例えば、システムは、送受信機２００及び２０２、アンテナ２００ａ及び２０２ａのような付加的なハードウエア構成要素を外部充電器５０に追加する。この付加的なハードウエアは、電力及び経費に関してコストを加算し、システムに複雑さを追加する。
【手続補正３】
【補正対象書類名】明細書
【補正対象項目名】００３６
【補正方法】変更
【補正の内容】
【００３６】
外部充電器２５２は、指令ＴＣ１を受信して確認応答ＡＫ３０６を用いて受信を通知し、確認応答ＡＫ３０６は、継続時間ＲＸ３０３中に外部コントローラによって受信される。ＡＫ３０６は、充電情報を含むステータス情報をデフォルトで含むことができ、又はそのような情報は、後のハンドシェーク後に着信させることができる。次に、外部コントローラ２５４は、外部充電器２５２がＩＰＧ１００を充電するための充電場を依然として供給していない場合には、充電場を生成するように外部充電器２５２に命令する別の指令ＴＣ２を送信する。ＴＣ２は、少し前に説明したＴＣ１と類似のフォーマットのものとすることができる。外部充電器２５２は、聴取窓４０７ｂ中に指令ＴＣ２を受信し、送信ＲＰ３０７で応答を行う。外部充電器２５２は、時に長めの指令ＴＣ２を受信することになることを認識しているので、ＬＷ４０７ｂは、他の聴取窓よりも長くすることができる。ＲＰ３０７は、指令の受信を継続時間ＲＸ３０４中に受信されるように外部コントローラ２５４に通知し、ここでもまた、何らかのステータス情報を含むことができる。
【手続補正４】
【補正対象書類名】明細書
【補正対象項目名】００３８
【補正方法】変更
【補正の内容】
【００３８】
高速データ送信モードでは、外部充電器２５２は、各々が比較的等しい継続時間を有する期間ＣＦ’４０２とＳＸ４０３の間で交替する。期間ＣＦ’４０２中には、外部充電器２５２は、コイル８８において磁気充電場を生成することによってＩＰＧ１００を充電し、状態ＳＸ４０３では、アラインメント回路１０３から供給されるアラインメント情報、及び恐らくは上述の他の充電パラメータのような充電情報を外部コントローラ２５４に送信する。外部コントローラ２５４は、外部充電器２５２からのＳＸ転送に対応する期間ＲＸ’３０５中にこれらの情報を受信する。外部コントローラ２５４は、受信したアラインメント情報から外部充電器２５２が高速データ送信モードで作動しているか否かを推測することができ、それに応じて状態ＳＸ中のデータ転送が同期化されるように受信期間ＲＸ’３０５を適切な時点にスケジューリングすることができる。代替的に、ＳＸ送信は、特別に外部充電器２５２のデータ転送モードの指示を含むことができる。
【手続補正５】
【補正対象書類名】明細書
【補正対象項目名】００３９
【補正方法】変更
【補正の内容】
【００３９】
外部コントローラ２５４において充電情報が受信された状態で、充電情報は、必要に応じて処理を施し、ユーザの概観に向けてディスプレイ８２デバイスに転送することができる。ＣＦとＳＸとの間で比較的迅速に交替することにより、外部充電器２５２は、ほぼ実時間のアラインメント情報をユーザに提供し、それによってユーザが、ＩＰＧ１００に対して外部充電器２５２をより良好に位置決めされるように試みる迅速な応答アクションを取ることが可能になる。高速データ送信モード中には、ＩＰＧバッテリ２６の充電は２倍遅くなるが、このモードは長く続くはずはなく、バッテリ２６は依然としてある程度充電されている。
【手続補正６】
【補正対象書類名】明細書
【補正対象項目名】００４０
【補正方法】変更
【補正の内容】
【００４０】
最終的に、ユーザは、外部コントローラ２５４をＩＰＧ１００に位置合わせすることができることになり、図９Ｂでは、これを時点３１２に示している。この時点で、外部充電器２５２と外部コントローラ２５４の間の高速データ送信モードを終えることができ、低速データ送信モードに入る。しかし、図示の例では、これらのデバイスは、数秒程度とすることができるアラインメントを微調整するユーザによるいずれかの付加的な移動を考慮して、期間４０５中に高速データ送信モードで作動し続ける。期間４０５中には、良好なアラインメントが定着し、最終的に高速データ転送モードを離れることができることを確実にするために、アラインメント回路１０３を外部充電器２５２によって検査し続けることができる。期間４０５の後に、外部充電器２５２は、低速データ送信モードに入り、外部コントローラ２５４は、ＳＸに関して聴取を行うのを停止し、従って、受信期間ＲＸ’３０５はもはや存在しない。上述の場合のように、外部コントローラ２５４は、受信したアラインメント情報に基づいて、外部充電器２５２がいつ高速データ転送モードを離れたか、及び期間４０５がいつ終わったかを把握することになる。
【手続補正７】
【補正対象書類名】明細書
【補正対象項目名】００４１
【補正方法】変更
【補正の内容】
【００４１】
期間４０５の後に、外部充電器２５２は、少し前に上述したように低速データ送信モードに入り、これを図９Ｃに例示している。低速データ送信モードでは、外部充電器２５２は、期間ＣＦ４０１中にＩＰＧ１００を充電し続けるが、外部コントローラ２５４からのいずれかのテレメトリに関して定期的に聴取窓ＬＷ４０７中に聴取を行い続ける。更に、外部充電器２５２は、ＩＰＧ１００にそのバッテリレベル及び温度のような関連充電情報を要求する。最終的に、外部充電器２５２は、ＩＰＧの充電情報を外部充電器の充電情報と共に外部コントローラ２５４に向けてパッケージ化することになる。
【手続補正８】
【補正対象書類名】図面
【補正対象項目名】図６
【補正方法】変更
【補正の内容】
【図６】
2014533172.tif 000001